(57)【要約】【課題】本発明は配管カバー装置に関し、空気調和機の室内機と室外機等を連結する電線や配管類等の挿通路と空気を流通させる空気流通路を内設し、電線や配管等の屈曲部を覆って保護し、防虫網等の清掃を外部から簡単かつ確実に行う。【解決手段】空気調和機の室内機と室外機等を連結する電線や配管２類等の挿通路３と室内外の空気を流通させる空気流通路４を内設し、壁５に設ける貫通孔６の開口部７に一端１ａを連通して接続し、他端１ｂを開口部７から壁に沿う別の配管カバーに連通して接続する電線や配管類等の屈曲部Ｋを覆って保護する配管カバー本体１を備え、空気流通路３の空気を外部に給排気する通気口８を開口部に相対する位置に設けると共に、通気口を覆って鉛直方向に伸びる通気口カバー９を設け、該通気口カバーの下方端１０に虫の侵入を防止する防虫網１１を設けた。【選択図】      図１
2004293600.tif 000002
【特許請求の範囲】
【請求項１】
空気調和機の室内機と室外機等を連結する電線や配管類等の挿通路と室内外の空気を流通させる空気流通路を内設し、壁に設ける貫通孔の開口部に一端を連通して接続し、他端を前記開口部から壁に沿う別の配管カバーに連通して接続する電線や配管類等の屈曲部を覆って保護する配管カバー本体を備えた配管カバー装置において、前記空気流通路の空気を外部に給排気する通気口を前記開口部に相対する位置に設けると共に、前記通気口を覆って鉛直方向に伸びる通気口カバーを設け、該通気口カバーの下方端に虫の侵入を防止する防虫網を設けたことを特徴とした配管カバー装置。
【請求項２】
配管カバー本体の前記開口部に対向する開口の内周縁に複数個の被取付部を設け、該開口部を覆う通気口カバーには取付筒部の内周に電線や配管が配索される前記配管カバー本体の設置向きに応じて前記被取付部に取付位置を変更可能に着脱可能に取付られる取付部を設けることを特徴とする請求項１に記載の配管カバー装置。
【発明の詳細な説明】
【０００１】
【発明の属する技術分野】
本発明は配管カバー装置に関し、空気調和機の室内機と室外機等を連結する電線や配管類等の挿通路と室内外の空気を流通させる空気流通路を内設し、電線や配管等の屈曲部を覆って保護し、また防虫網等の清掃を外部から簡単かつ確実に行おうとするものである。
【０００２】
【従来の技術】
従来から、空気調和機の室内機からのドレン水の排水管や、室内機と室外機とを連結する冷媒管等の配管類と電線等を収納して保護するために、合成樹脂よりなる種々の形状の配管カバーがあった。
この配管カバーには、従来、空気調和機の室内機と室外機等を連結する電線や配管類等の挿通路と室内外の空気を流通させる空気流通路を内設し、壁に設ける貫通孔の開口部に一端を連通して接続し、他端を前記開口部から壁に沿う別の配管カバーに連通して接続する電線や配管類等の屈曲部を覆って保護する配管カバー本体を備えた配管カバー装置がある（例えば特許文献１参照。）。
【０００３】
【特許文献１】
特許第３２８０５７９号公報
【０００４】
【発明が解決しようとする課題】
しかしながら、特許文献１に記載の上記従来の配管カバー装置は、室内機と室外機等を連結する電線や配管類等の挿通路と室内外の空気を流通する空気流通路とを配管カバー本体に内設し、壁に設けた貫通孔の開口部に一端が連通して接続される配管カバー本体の前記開口部に相対する位置に、空気流通路の空気を配管カバー外に給排気するための虫の侵入を防止する防虫スクリーンを備えた通気口を設け、フード状のウエザーカバーにより配管カバーの隅角部を覆うようにしたものである。
【０００５】
従って、配管カバー本体に設けた通気口を備える防虫スクリーンが、ごみ等により目詰まりしたり、汚れた時に、掃除を行う場合には、外部から直接的に水洗いする等して防虫スクリーンを掃除することができず、ウエザーカバーを配管カバー本体から取外した後でないと、防虫スクリーンを掃除することができないという構造上の制約があった。このため、防虫スクリーンの掃除を行う場合には、多くの時間と手間がかかり、面倒であった。しかも、防虫スクリーンが破けた場合に、新たなものと交換したり、修繕をする等の保守・管理を行うのにも同様にウエザーカバーを配管カバー本体から外した後でないと、作業を行うことができず、作業には多くの時間と手間がかかっていた。
【０００６】
しかも、特許文献１に記載の従来の配管カバー装置は、室外機の配置によって水平又は斜めに伸びる配管カバーに接続される場合、ウエザーカバーの開口部が横方向に開口するため、雨や雪が降った場合に、この風抜き部を通じて雨、雪が配管カバー内に連通する空気流通路を通じて室内に侵入し易いという不都合を生ずる。
【０００７】
本発明は上記従来の欠点を解決し、通気口カバーを配管カバー本体から取外すことなく被着したままで外部から防虫網が目詰まりした場合や汚れた時等の掃除が簡単かつ確実に行え、しかも多くの時間と手間がかからずに行え、また、新たな防虫網に交換する等の保守・管理が容易かつ確実に行え、また、雨や雪が配管カバー本体内に設けた空気流通路を通じて室内に侵入し難く、防水性能が充分であるとともに防音性に優れ、さらには構造簡単にして製作コストも安価な配管カバー装置を提供することを目的とする。
【０００８】
【課題を解決するための手段】
本発明は上記従来の不都合を解決し、請求項１に記載の発明は、空気調和機の室内機と室外機等を連結する電線や配管類等の挿通路と室内外の空気を流通させる空気流通路を内設し、壁に設ける貫通孔の開口部に一端を連通して接続し、他端を前記開口部から壁に沿う別の配管カバーに連通して接続する電線や配管類等の屈曲部を覆って保護する配管カバー本体を備えた配管カバー装置において、前記空気流通路の空気を外部に給排気する通気口を前記開口部に相対する位置に設けると共に、前記通気口を覆って鉛直方向に伸びる通気口カバーを設け、該通気口カバーの下方端に虫の侵入を防止する防虫網を設けたことを特徴としたという手段を採用した。
【０００９】
また、本発明の請求項２に記載の発明は、請求項１において配管カバー本体の前記開口部に対向する開口の内周縁に複数個の被取付部を設け、該開口部を覆う通気口カバーには取付筒部の内周に電線や配管が配索される前記配管カバー本体の設置向きに応じて前記被取付部に取付位置を変更可能に着脱可能に取付られる取付部を設けることを特徴とするという手段を採用した。
【００１０】
【発明の実施の形態】
以下、図面に従って本発明の一実施形態を説明する。
図１は本発明の配管カバー装置を施工した時の一実施形態を示す断面図、図２は同じく正面図、図３は同じく分解斜視図、図４は同じく本実施形態を構成する通気口カバーの正面図、図５は同じく側面図、図６は同じく下面図である。
【００１１】
本実施形態の配管カバー装置は、空気調和機の室内機と室外機等を連結する電線や配管２類等の挿通路３と室内外の空気を流通させる空気流通路４を内設し、壁５に設ける貫通孔６の開口部７に一端１ａを連通して接続し、他端１ｂを前記開口部７から壁５に沿う別の配管カバー（図には示さず）に連通して接続する電線や配管２類等の屈曲部Ｋを覆って保護する配管カバー本体１を備えた配管カバー装置である点は、特許文献１に記載の上記従来の配管カバー装置と同様の構成である。
【００１２】
しかしながら、本実施形態の配管カバー装置は、前記空気流通路４の空気を外部に給排気する通気口８を前記開口部７に相対する位置に設けると共に、前記通気口８を覆って鉛直方向に伸びる通気口カバー９を設け、該通気口カバー９の下方端１０に虫の侵入を防止する防虫網１１を外部に臨んで設けている。また、空気調和機の室外機が伸びる室内空気排気パイプ２ａの先端を通気口カバー９の下方端１０近傍まで配置している。
【００１３】
そして、通気口カバー９には、配管カバー本体１の前記開口部７に対向する内側に形成された取付筒部１２の内周に等角度∠θ、図示する実施形態では図３および図４に示すように４５度ずつ、合計８個の取付部１３を設けている。しかも、配管カバー本体１に前記開口部７に対向して設ける開口７′の内周縁には複数個、図示する実施形態では図３に示すように略１８０°の上下の位置に被取付部１４，１４を対向して設けているので、通気口カバー９は空気調和機の室内機と室外機等を連結する電線や配管２類等の配索方向に対応して４５°ずつ取付位置を変更可能にかつ着脱可能に取付けられる。
図１乃至図３に示したＮ１は、カバー本体１の解放側（壁に対する対向側）の周囲外縁に形成される外縁部１ｃに複数個、図では上方中央と左右下方との合計３個が設けられたねじ孔１ｄに螺入されるねじであり、このねじＮ１はカバー本体１を壁５に着脱自在に取付るためのものである。このねじ孔１ｄの設置個数、設置位置は図示するものに限らない。
【００１４】
また、本実施形態で通気口カバー９を配管カバー本体１に対して取付けるための固着手段は、図示では配管カバー本体１の内周縁の前記被取付部１４に設けたねじ孔１４ａとこの被取付部１４に重合される対応する通気口カバー９の取付部１３のねじ孔１３ａとにねじＮ２を螺入することによりねじ止めを行っているが、これは代表的な例示である。この固着手段の他例としては図には示さないが、例えば係合突起と、この係合突起が係脱可能な係合凹部とによる係脱手段を採用するほか、突起と凹部とによる嵌脱手段によって嵌着してもよい。
また、取付部１３は、図７に示すように、長穴のねじ孔１３′ａを設けることにより任意の角度に対応させる取付部１３′にしても良い。
【００１５】
本発明の一実施形態は以上の構成からなり、空気調和機の室内機と室外機等を連結する電線や配管２類等は、壁５に設ける貫通孔６内に配索される。また、この電線や配管２は、貫通孔６の開口部７に一端１ａが連通して接続され、他端１ｂが前記開口部７から壁５に沿う別の配管カバー（図には示さず）に連通して接続される合成樹脂により形成した配管カバー本体１内に配索される。しかも、配管カバー本体１内には前述のように電線や配管２等を配索するための挿通路３と室内外の空気を流通させる空気流通路４が内設される点は特許文献１に記載の従来の配管カバー装置と同様の作用を奏する。
【００１６】
しかしながら、本実施形態の配管カバー装置においては、電線や配管２を配索するために壁５に設けた貫通孔６の開口部７は、空気流通路４の空気を外部に給排気する通気口８を通気口カバー９により覆い、該通気口カバー９の下方端１０に虫の侵入を防止する防虫網１１を外部に臨んで設けている。
【００１７】
この時、通気口カバー９に配管カバー本体１と対向側に形成された取付筒部１２の内周には図３、図４に示すように等角度∠θ、図示する実施形態では４５度ずつ合計８個の取付部１３が設けられ、しかも、配管カバー本体１の通気口カバー９に対応する開口７′の内周縁には図３に示すように複数個、図示する実施形態では略１８０°の上下の位置に被取付部１４が対向して設けられているので、被取付部１４に設けたねじ孔１４ａと、８個のうち、選択されて前記被取付部１４に重合される２個の取付部１３に設けたねじ孔１３ａとにねじＮ２を螺入する等して通気口カバー９の取付位置を配管カバー本体１内に配索される空気調和機の室内機と室外機等を連結する電線や配管２類等の配索方向に対応して配管カバー本体１に対して変更可能にかつ着脱可能に取付けることができる。
【００１８】
この通気口カバー９の配管カバー本体１に対する取付個所の調整は、前述のように時計方向または反時計方向に４５度ずつ回動して行うことができるので、電線や配管２類の敷設方向に応じて配管カバー本体１の設置向きが如何なる位置になろうとも、この配管カバー本体１に対してきめ細かに通気口カバー９は取付位置が変更されて迅速かつ確実に取付けることができる。
こうして、図２に示すように通気口カバー９は、配管カバー本体１に通気口８を覆って鉛直方向に伸びるように被され室内排気用パイプ２ａの先端を下方に向けて容易かつ確実に取付けることができる。
【００１９】
それから、通気口カバー９を組付けた配管カバー本体１を、壁５に設けた貫通孔６に配索されている電線や配管２の配索方向に対応して被せ、複数個のねじＮ１を配管カバー本体１の外縁部１ｃに設けたねじ孔１ｄ内に前面から螺入することにより壁５に配管カバー本体１を通気口カバー９毎着脱可能に取付けることができる。また、図７に示すように、取付部１３′を採用すれば、任意の角度においても対応できる。
【００２０】
このようにして、配管カバー本体１および通気口カバー９は、壁５に取付けられるが、室内空気排気用パイプ２ａ内の空気を防虫網１１を通じて下方端１０から外部に円滑且つ確実に排気することができる。
しかも、開口部７はフード状の通気口カバー９により覆われるので、雨や雪は通気口カバー９により遮られて配管カバー本体１内に設けた空気流通路４を通じて室内に侵入することなく、防水性能が充分に発揮されるとともに通気口カバー９により外部からの騒音は遮ぎられ、優れた防音性が発揮される。
【００２１】
また、通気口カバー９の下方端１０には、外部に臨んで防虫網１１が設けられているので、この防虫網１１により虫が配管カバー本体１内に侵入するのが防止される。しかも、防虫網１１を通気口カバー９に対して嵌合、ビス止め等により着脱自在にすれば防虫網１１が目詰まりしたり、汚れた場合には、この配管カバー本体１から通気口カバー９を取外すことなく防虫網１１のみを外して洗浄又は交換して掃除が簡単かつ確実に行え、目詰まりや汚れを落とすことができる。
【００２２】
【発明の効果】
本発明の請求項１に記載の発明は以上のように、空気調和機の室内機と室外機等を連結する電線や配管類等の挿通路と室内外の空気を流通させる空気流通路を内設し、壁に設ける貫通孔の開口部に一端を連通して接続し、他端を前記開口部から壁に沿う別の配管カバーに連通して接続する電線や配管類等の屈曲部を覆って保護する配管カバー本体を備えた配管カバー装置において、前記空気流通路の空気を外部に給排気する通気口を前記開口部に相対する位置に設けると共に、前記通気口を覆って鉛直方向に伸びる通気口カバーを設け、該通気口カバーの下方端に虫の侵入を防止する防虫網を設けたことを特徴としたので、通気口カバーを配管カバー本体から取外すことなくそのまま被着したままで外部から防虫網が目詰まりした場合等の掃除が簡単かつ確実に行え、しかも多くの時間と手間がかからずに行え、また新たな防虫網と交換や修繕が容易かつ確実に行え、保守・管理が容易になり、また、雨や雪が配管カバー本体内に設けた空気流通路より室内に侵入し難く、防水性能が充分であるとともに防音性に優れ、さらにはカバー本体と通気口カバーとは２部品と少なく構造簡単にして製作コストは安価になる。
【００２３】
また、本発明の請求項２に記載の発明は、請求項１において配管カバー本体の前記開口部に対向する開口の内周縁に複数個の被取付部を設け、該開口部を覆う通気口カバーには取付筒部の内周に電線や配管が配索される前記配管カバー本体の設置向きに応じて前記被取付部に取付位置を変更可能に着脱可能に取付られる取付部を設けることを特徴とするので、電線や配管が配索される配管カバー本体の設置向きに応じて通気口カバーの取付位置を所望個所、例えば防虫網を有する通気口を常時、鉛直方向に設置する等、変更可能に着脱可能に取付けることができる。
従って、防虫網が目詰まりしたり、汚れたりした場合等の掃除が外部から多くの時間と手間がかからず簡単かつ確実に行え、また、新たな防虫網と交換したり、修繕が簡単に行える等の保守・管理が容易かつ確実に行え、しかも、雨や雪が配管カバー本体内に設けた空気流通路より室内に侵入し難く、防水性能が充分になるとともに防音性に優れる。
【図面の簡単な説明】
【図１】図１は本発明の配管カバー装置を施工した時の一実施形態を示す断面図である。
【図２】図２は同じく正面図である。
【図３】図３は同じく分解斜視図である。
【図４】図４は同じく通気口カバーの正面図である。
【図５】図５は同じく側面図である。
【図６】図６は同じく下面図である。
【図７】図７は通気口カバーの他の実施例における正面図である。
【符号の説明】
１      配管カバー本体
２      配管
３      挿通路
４      空気流通路
５      壁
６      貫通孔
７      開口部
８      通気口
９      通気口カバー
１０    下方端
１１    防虫網
１２    取付筒部
１３    取付片
１３ａ  ねじ孔
１４    被取付部
１４ａ  ねじ孔
Ｎ１    ねじ
Ｎ２    ねじ
【図１】
2004293600.tif 000003
【図２】
2004293600.tif 000004
【図３】
2004293600.tif 000005
【図４】
2004293600.tif 000006
【図５】
2004293600.tif 000007
【図６】
2004293600.tif 000008
【図７】
2004293600.tif 000009